(57)【要約】  【課題】  装置に用いる開閉パネルが装着される時の位置合わせを容易にして操作性を良好にし、開口部との接触による傷付きを防止することで外観性を損ねてしまう恐れをなくした開閉パネルの保持構造を提供する。  【解決手段】  上部を開放した開口部２の側壁２ａに回動軸３と、保持部４と、規制部７とを備えた本体部１と、前記保持部４により保持されて前記開口部２を閉じるパネル部６ａと、同パネル部６ａの両側から垂下して前記回動軸３に係脱可能に係合する切欠部５を有し、前記パネル部６ａが前記開口部２を開放する回動範囲を前記規制部７により規制するフランジ部６ｂとを備えた開閉パネル６と、からなる開閉パネルの保持構造において、前記開閉パネル６は、前記フランジ部６ｂが前記回動軸３および前記規制部７により係脱自在にガイドされ、かつ回動自在にガイドされるように構成した。【選択図】  図１
2010267692.tif 000002
【特許請求の範囲】
【請求項１】
上部を開放した開口部の側壁に回動軸と、保持部と、規制部とを備えた本体部と、前記保持部により保持された位置で前記開口部を閉じるパネル部と、同パネル部の両側から垂下して前記回動軸に係脱可能に係合する切欠部を有し、前記パネル部が前記開口部を開放する回動範囲を前記規制部により規制するフランジ部とを備えた開閉パネルと、からなる開閉パネルの保持構造において、
前記開閉パネルは、前記フランジ部が前記回動軸および前記規制部により係脱自在にガイドされ、かつ回動自在にガイドされてなることを特徴とする開閉パネルの保持構造。
【請求項２】
前記回動軸に鍔部を備え、同鍔部を備えた回動軸と前記規制部とで、前記開閉パネルが前記開口部に位置決めされてなることを特徴とする請求項１に記載の開閉パネルの保持構造。
【請求項３】
前記保持部の一部が、前記開閉パネルの回動範囲を規制する規制部を兼ねてなることを特徴とする請求項１または請求項２に記載の開閉パネルの保持構造。
【発明の詳細な説明】
【技術分野】
【０００１】
本発明は、装置の本体部に備えた開口部に開閉パネルを保持する開閉パネルの保持構造に関する。
【背景技術】
【０００２】
従来の開閉パネルの保持構造（パネル部材のヒンジ構造）は、開閉の際に開閉パネル（パネル部材）あるいは本体部（筐体）に傷が付くのを防止するものとして、図３に示すように、装置の本体部（筐体）ａに備えた開口部ｂに開閉パネル（パネル部材）ｃを回動自在に枢支する開閉パネル（パネル部材）ｃのヒンジ構造において、本体部（筐体）ａあるいは開閉パネル（パネル部材）ｃのうち、何れか一方には半球状のヒンジ突起ｄを隆起して他方側のヒンジ凹部ｅに係脱自在に、かつ回動自在に嵌合するとともに、ヒンジ突起ｄおよびヒンジ凹部ｅの近傍には、開閉パネル（パネル部材）ｃの開放終端位置を規制するストッパｆを夫々突設して構成したものが知られている（例えば、特開平４−３２３４８１号公報）。
【０００３】
これにより、開閉パネルｃの保持構造（パネル部材ｃのヒンジ構造）は、ストッパｆ同士が当接面ｇで互いに当接した当接後の操作力により離脱自在となるように形成されていることから、開閉パネル（パネル部材）ｃ等が損傷してしまうことを防止することができるようになっていた。
【０００４】
しかしながら、ヒンジ突起ｄをヒンジ凹部ｅに係脱自在に、かつ回動自在に嵌合する際、ヒンジ突起ｄとヒンジ凹部ｅとを位置合わせしながら嵌合する必要があることから嵌合時の操作性は必ずしも良好ではなく、例えば、装置の本体部（筐体）ａに備えた大きい開口部ｂに大形状の開閉パネル（パネル部材）ｃを装着する時には、とくに、位置合わせが困難になって嵌合時の操作性が更に悪くなってしまうという問題点を有していた。
【０００５】
また、開閉の際に開閉パネル（パネル部材）ｃあるいは装置の本体部（筐体）ａに傷が付くのを防止できる反面、ヒンジ突起ｄとヒンジ凹部ｅとを位置合わせしながら嵌合する時には、位置合わせが困難であるため手許に狂いが生じやすくなり、開閉パネル（パネル部材）ｃが装置に備えた開口部ｂの周縁に接触することになって、開閉パネル（パネル部材）ｃもしくは開口部ｂの周縁に施されている塗装の一部が傷付けられてしまったり、剥がれてしまうなどにより外観性を損ねてしまう恐れがあった。
【先行技術文献】
【特許文献】
【０００６】
【特許文献１】特開平４−３２３４８１号公報
【発明の概要】
【発明が解決しようとする課題】
【０００７】
そこで、本発明は上述した課題を解決するためになされたものであって、その目的は、装置に用いる開閉パネルが装着される時の位置合わせを容易にして操作性を良好にし、開口部との接触による傷付きを防止することで外観性を損ねてしまう恐れをなくした開閉パネルの保持構造を提供することにある。
【課題を解決するための手段】
【０００８】
上述した目的を達成できるように構成するため、本発明は以下に示す特徴を備えている。
【０００９】
上部を開放した開口部の側壁に回動軸と、保持部と、規制部とを備えた本体部と、前記保持部により保持された位置で前記開口部を閉じるパネル部と、同パネル部の両側から垂下して前記回動軸に係脱可能に係合する切欠部を有し、前記パネル部が前記開口部を開放する回動範囲を前記規制部により規制するフランジ部とを備えた開閉パネルと、からなる開閉パネルの保持構造において、
前記開閉パネルは、前記フランジ部が前記回動軸および前記規制部により係脱自在にガイドされ、かつ回動自在にガイドされてなることを特徴としている。
【００１０】
また、前記回動軸に鍔部を備え、同鍔部を備えた回動軸と前記規制部とで、前記開閉パネルが前記開口部に位置決めされてなることを特徴としている。
【００１１】
また、前記保持部の一部が、前記開閉パネルの回動範囲を規制する規制部を兼ねてなることを特徴としている。
【発明の効果】
【００１２】
本発明によれば、装置に用いられる開閉パネルを装着する時および回動する時のガイドを構成することで、開閉パネルが装着される時の位置合わせを容易にして操作性を良好にし、開口部との接触による傷付きを防止して外観性を損ねてしまう恐れをなくした開閉パネルの保持構造を提供できる。
【図面の簡単な説明】
【００１３】
【図１】本発明による開閉パネルの保持構造が用いられる装置の説明図で、（Ａ）は装置の斜視図であり、（Ｂ）は装置の要部斜視図であり、（Ｃ）は図１（Ｂ）に示すａ−ａ断面図である。
【図２】本発明による開閉パネルの保持構造の説明図で、（Ａ）は開閉パネルで開口部を閉じた状態を示す要部断面図であり、（Ｂ）は図２（Ａ）に示すＡ部の開閉パネルの係脱状態を示す拡大図であり、（Ｃ）は回動軸に切欠部を係合した係合状態を示す拡大図であり、（Ｄ）は開閉パネルで開口部を閉じた状態を示す拡大図であり、（Ｅ）は図２（Ａ）に示すＢ矢視図である。
【図３】従来例による開閉パネルの保持構造の説明図である。
【発明を実施するための形態】
【００１４】
以下、本発明を実施するための形態を、添付図面に基づいた実施例として詳細に説明する。なお、図２（Ａ）により開閉パネルで開口部を閉じた状態を示すＡ部の拡大図は図２（Ｄ）であるが、ここでは、図２（Ｂ）により開閉パネルの係脱状態を、図２（Ｃ）により係合状態を、図２（Ｄ）により開口部を閉じた状態を夫々示して、順次説明することとする。
【００１５】
本発明による開閉パネルの保持構造は、図１（Ａ）乃至図１（Ｃ）と、図２（Ａ）乃至図２（Ｅ）とに示すように、例えば、装置（本体部）１に用いられる開閉パネル６が、装置（本体部）１に備えた開口部２に係脱自在に、かつ回動自在に保持されるように構成したものである。
【００１６】
装置（本体部）１は、上部を開放した開口部２を備えており、この開口部２を利用することにより、内部に実装されている図示しない電装品類のメンテナンスが行われるようになっている。
【００１７】
装置（本体部）１に備えた開口部２は、開閉パネル６が係脱自在に、かつ回動自在に保持されることによって閉じられたり、もしくは開放されたりする構成になっており、また、開閉パネル６の上面部をなすパネル６ａには、例えば、装置（本体部）１が消防緊急指令台の操作卓である場合、緊急指令を実行するための図示しない操作ボタンや送受話器などが配設されている。
【００１８】
開閉パネル６は、図示しない操作ボタンや送受話器などが配設された上面部をなすパネル６ａと、図１（Ｂ）と、図２（Ａ）乃至図２（Ｅ）とに示すように、操作者の側となるパネル６ａの前端部両側から垂下したフランジ部６ｂと、フランジ部６ｂの前端部を開放するように形成された切欠部５と、フランジ部６ｂの外形形状の一部を円弧状に形成した円弧状外周縁６ｃと、円弧状外周縁６ｃに連続的に形成された直線状外周縁６ｄとを備えている。
【００１９】
図示しない操作ボタンや送受話器などが配設された開閉パネル６の上面部をなすパネル６ａは、図１（Ａ）および図１（Ｂ）に示すように、操作者の側となる装置（本体部）１（または開口部２）の前部が低くなるように傾斜させた構成になっており、これによって、例えば、図示しない操作ボタンや送受話器などの操作性が良好になるようにしている。
【００２０】
装置（本体部）１に備えた開口部２は、両側壁２ａの前方寄りに回動軸３を備えており、この回動軸３よりも後方寄りとなる側壁２ａには、装着された開閉パネル６が、パネル６ａの周縁下部に当接することで開口部２を閉じた位置に保持される保持部４を備えている。
【００２１】
なお、フランジ部６ｂの外形形状の一部を円弧状に形成した円弧状外周縁６ｃは、切欠部５を回動軸３に係合した状態で開閉パネル６を回動する際、回動軸３からの距離が一定となるように所定の半径で形成した構成としている。
【００２２】
これにより、切欠部５を有するフランジ部６ｂは、回動軸３と後述する規制部７とで係脱自在に、かつ回動自在にガイドされるように構成されているため、図２（Ｂ）乃至図２（Ｄ）に示すように、切欠部５が回動軸３に対し正確な位置合わせなしに容易に、かつ正確に係合できるようにガイドされることから、操作者の側となる装置（本体部）１（または開口部２）の前端部が低くなるように傾斜した構成であっても、開閉パネル６が、回動時に前後方向に位置ずれしたりガタつきが生じてしまう恐れがないようにガイドされることになる。
【００２３】
開閉パネル６は、パネル６ａの周縁下部を保持部４に当接することで開口部２を閉じた位置に保持された際、図１（Ａ）乃至図１（Ｃ）に示すように、保持部４に設けられているねじ孔からなる固定部９に、固定ねじからなる固定具８でパネル６ａを固定することによって開口部２に装着されることになり、また、固定部９から固定具８を取り外すことにより、回動軸３に係合した切欠部５を有するフランジ部６ｂの側を回転中心に回動自在となり、回動させることで開口部２を開放したのち、この開口部２から離脱させることも可能となる。
【００２４】
なお、切欠部５を有するフランジ部６ｂは、この実施の形態の説明においては、操作者の側となるパネル６ａの前端部の両側から垂下した構成として説明している。
【００２５】
しかしながら、切欠部５を有するフランジ部６ｂは、必ずしも操作者の側に限らず、図示はしないが、操作者の反対側となるパネル６ａの後端部の両側から垂下した構成であってもよく、その場合、回動軸３も同様に、切欠部５を有するフランジ部６ｂの位置に対応して開口部２の両側壁２ａの後方寄りに設けられた構成にすればよい。
【００２６】
これにより、切欠部５を有するフランジ部６ｂは、回動軸３と後述する規制部７とで係脱自在に、かつ回動自在にガイドされるように構成されているため、切欠部５を有するフランジ部６ｂが操作者の側に設けられていても、または、操作者の反対側となるパネル６ａの後端部の両側に設けられていても、何れでも、切欠部５が回動軸３に対し正確な位置合わせなしに容易に、かつ正確に係合できるようにガイドされることから、操作者の側となる装置（本体部）１（または開口部２）の前端部が低くなるように傾斜していても、開閉パネル６が、回動時に前後方向に位置ずれしたりガタつきが生じてしまう恐れがないようにガイドされることになる。
【００２７】
開口部２の側壁２ａに設けられた保持部４は、図２（Ｂ）乃至図２（Ｄ）に示すように、その一部を切欠して回動軸３の近傍に位置するように形成された端面が、開閉パネル６を装着したり、回動する時のガイドの一部を構成するとともに、開閉パネル６の回動範囲を規制（位置決め）する時の規制部７を兼ねている。
【００２８】
開閉パネル６の着脱時には、図２（Ｂ）および図２（Ｃ）に示すように、回動軸３に対しフランジ部６ｂが有する切欠部５を容易に係脱できるようにするため、フランジ部６ｂの直線状外周縁６ｄが規制部７によってガイドされるようになっている。
【００２９】
その際、切欠部５は角度θを有して先端を拡開させたことで、回動軸３に対し切欠部５を係脱しやすくした構成となる。
【００３０】
また、開閉パネル６の回動時には、回動軸３に係合した切欠部５の基端部を中心に、図２（Ｃ）に示す位置から開口部２を閉じるように回動し、規制部７によってガイドされたフランジ部６ｂの直線状外周縁６ｄが規制部７から離れながら、直線状外周縁６ｄに連続形成されている円弧状外周縁６ｃの一部が規制部７の一部に沿うようにガイドされ、パネル部６ａが開口部２を閉じるように図２（Ｄ）に示す位置まで回動し、保持部４に当接して保持されることになる。
【００３１】
なお、開口部２を開放する時の開閉パネル６の回動範囲（位置）については、開閉パネル６が開口部２（の上部）を完全に開放するための終端位置まで回動した時の開放終端位置として説明する。
【００３２】
パネル６ａの周縁下部に当接し、開口部２を閉じた位置で開閉パネル６を保持する保持部４が、その一部を切欠した端面からなる規制部７を兼ねる構成にしたことで、開口部２を開放する開閉パネル６の回動位置（開放終端位置）を規制するのに、個別の規制部材を用いる必要は生じない。
【００３３】
開閉パネル６は、切欠部５を有するフランジ部６ｂが、図２（Ｂ）乃至図２（Ｅ）に示すように、回動軸３と規制部７とによって、係脱自在にガイドされることで装着時の位置合わせや取外し時の操作性を容易にしたり、回動自在にガイドされることで前後方向の位置ずれをなくしガタつきが生じてしまう恐れがない構成にしている。
【００３４】
ここで、装置１に用いられる開閉パネル６が、装置１に備えた開口部２に係脱自在に、かつ回動自在に保持されるように構成された保持構造について詳細に説明する。
【００３５】
装置１に備えた開口部２に係脱自在に、かつ回動自在に保持される開閉パネル６は、操作者の側となる前端部の両側からフランジ部６ｂを垂下するとともに、フランジ部６ｂに、開口部２の両側壁２ａに備えた回動軸３に対応する切欠部５を有する構成になっており、開口部２の両側壁２ａに備えた回動軸３と、これに対応する切欠部５と、開閉パネル６の回動位置（開放終端位置）を規制する規制部７とで、開閉パネル６が開口部２に係脱自在に、かつ回動自在に保持される保持構造が構成されている。
【００３６】
切欠部５は、フランジ部６ｂの前端部に形成された構成になっており、切欠部５の先端から、回動軸３に向けて上方から係脱自在に、かつ回動自在に係合するようになっている。
【００３７】
開口部２の両側壁２ａに備えた回動軸３に、開閉パネル６のフランジ部６ｂに有した切欠部５が係合する際、係合させるための位置合わせを容易にするため、回動軸３と、回動軸３の近傍に位置させた規制部（保持部４の端面）７とで、開口部２に、開閉パネル６の一部を接触させることなく係脱自在に係合させることができるように、切欠部５が回動軸３に向けてガイドされながら係合する構成にしている。
【００３８】
その際、開閉パネル６のフランジ部６ｂに有した切欠部５は、図２（Ｂ）乃至図２（Ｄ）に示す角度θのように、先端側が拡開するように形成された構成になっており、これによって、切欠部５を有しているフランジ部６ｂの先端部片側６ｂ１の形状は先細状になっている。
【００３９】
切欠部５を有しているフランジ部６ｂの先端部片側６ｂ１の形状を先細状に形成するため、切欠部５の基端部は、回動軸３に対し回動自在に係合するよう半円状に形成されており、この半円状に形成された基端部からフランジ部６ｂの前端に向けて延びる切欠部５の両縁は、開閉パネル６のパネル６ａに近い側となる他方がパネル６ａと平行に形成され、パネル６ａから遠い側となる一方が、図２（Ｂ）乃至図２（Ｄ）に示す角度θをなすように傾斜している。
【００４０】
これにより、先細状に形成しているフランジ部６ｂの先端部片側６ｂ１を、図２（Ｂ）および図２（Ｃ）に示すように、正確に位置決めすることなしに上方から回動軸３と規制部（保持部４の端面）７との間に挿入して、フランジ部６ｂの先端部他片側６ｂ２は開口部２の深さに対するパネル６ａの高さ位置を変えないように、切欠部５を容易に回動軸３に導きながら正確に係合させるためのガイドを構成できるようになる。
【００４１】
すなわち、切欠部５の先端側が拡開するように形成した形状は、図２（Ｂ）および図２（Ｃ）に示す角度θのように、切欠部５の両縁のうち、パネル６ａから遠い側となる一方のみ傾斜させた構成にすることで、この傾斜させた側となるフランジ部６ｂの先端部片側６ｂ１を、正確な位置決めなしに回動軸３と規制部（保持部４の端面）７との間に容易に係合させるためのガイドを構成できることになる。
【００４２】
切欠部５が回動軸３に係合するようにフランジ部６ｂがガイドされたのち、開閉パネル６が回動する際、フランジ部６ｂの円弧状外周縁６ｃの一部が規制部（保持部４の端面）７の一部によって規制された状態で、図２（Ｃ）に示す位置から、規制部（保持部４の端面）７の一部に沿うようにガイドされながら、図２（Ｄ）に示す位置まで回動することになる。
【００４３】
すなわち、回動軸３と規制部（保持部４の端面）７とで、回動軸３に対応する切欠部５を有するフランジ部６ｂのガタつきを抑えることができるようになって、開閉パネル６をフランジ部６ｂにガタつきが生じることなく回動させるためのガイドを構成できることになる。
【００４４】
また、開口部２の両側壁２ａに備えた回動軸３に切欠部５を係合させた開閉パネル６を回動する際、図２（Ｃ）に示す位置から図２（Ｄ）に示す位置まで切欠部５が回動軸３から離脱することなく回動するため、切欠部５を有するフランジ部６ｂの円弧状外周縁６ｃの一部が回動軸３の近傍に位置させた規制部（保持部４の端面）７の一部に沿いながら、開閉パネル６が前後に位置ずれしないように規制されて回動することになるので、開閉パネル６の前後部と開口部２の前後部との間に、図２（Ｅ）に示すように所定の隙間Ｃを確保できるようになって、開閉パネル６の前後部と開口部２の前後部とが接触する恐れがない構成となる。
【００４５】
なお、図２（Ｄ）および図２（Ｅ）に示すように開閉パネル６で開口部２を閉じた際、開閉パネル６の前後部と、開口部２との間に確保されている図２（Ｅ）に示す所定の隙間Ｃからは、図１（Ｂ）と、図２（Ａ）乃至図２（Ｅ）とに示す保持部４や目隠し部４’によって内部が見えてしまわないように目隠しができるようになっている。
【００４６】
そして、図２（Ｃ）に示すように開閉パネル６が開口部２を開放した際、切欠部５を有するフランジ部６ｂの円弧状外周縁６ｃに連続形成された直線状外周縁６ｄが規制部（保持部４の端面）７に当接して回動範囲が規制され、開閉パネル６の回動位置（開放終端位置）が位置決めされることになる。
【００４７】
また、回動軸３には鍔部３ａが設けられており、この鍔部３ａによって、回動軸３に係合した切欠部５を有するフランジ部６ｂを備えた開閉パネル６が左右に位置ずれしないように規制されるとともに、開閉パネル６の両側部と開口部２の両側部との間に、図２（Ｅ）に示すように鍔部３ａの厚さに相当する隙間Ｄを確保できるようになって、開閉パネル６の両側部と開口部２の両側部とが接触する恐れがない構成となる。
【００４８】
なお、開閉パネル６の両側部と、開口部２との間に確保されている図２（Ｅ）に示す所定の隙間Ｄからは、パネル６ａの周縁下部を保持する保持部４によって内部が見えてしまわないように目隠しができるようになっている。
【００４９】
以上説明したように、本発明の構成によれば、開放されている開口部２に開閉パネル６を保持（装着）して閉じる際、または、開閉パネル６が開口部２を閉じた位置から回動して開口部２を開放した際、開閉パネル６は開口部２に接触しないように回動軸３と規制部（保持部４の端面）７とでガイドされながら、開口部２および回動軸２の上方から係脱自在に、かつ回動自在に保持（装着）できるようにした開閉パネルの保持構造を提供することができる。
【符号の説明】
【００５０】
１  装置（本体部）
２  開口部
２ａ  側壁
３  回動軸
３ａ  鍔部
４  保持部
４’  目隠し部
５  切欠部
６  開閉パネル
６ａ  パネル
６ｂ  フランジ部
６ｂ１  先端部片側
６ｂ２  先端部他片側
６ｃ  円弧状外周縁
６ｄ  直線状外周縁
７  規制部（保持部４の端面）
８  固定具
９  固定部
【図１】
2010267692.tif 000003
【図２】
2010267692.tif 000004
【図３】
2010267692.tif 000005